(57)【要約】【課題】  従来の両腕上下健康運動器具は，トレーニングセンター等に装備されたいわゆる筋力増強のための大型重装備のものがほとんどである。このため、単に健康維持等の目的にて一般の個人がこれを購入又は使用する事は極めて困難であった。【解決手段】  床面上に置かれたベースプレートの片側端部に、２組の中空の柱を垂直方向に立て、この柱の内部下方側に引っ張りバネ又は空気、ガス等の圧縮装置を設ける。さらにこの柱の上方端部に水平直角方向となるスライドガイド装置を内蔵したスライド台を設け、端末部にストッパー付ハンドルを下方垂直方向に設ける。これらそれぞれの連結のために台形ベルト又は細線ワイヤーロープ等を取付け、曲接点部はガイドローラーによってガイドする。使用する場合は、ベースプレート上に設置されたスツールに座り両手にてハンドルを握り、両腕を上下方向交互に又は同時に動作させる事ができるようにしたものである。【選択図】    図２３
2006289025.tif 000002
【特許請求の範囲】
【請求項１】
床面上より垂直方向に２本のピラーを設け、このピラーの下方内部に駆動源となる引っ張りバネ又はガス圧、空気圧等を利用した圧縮装置を内蔵し、各ピラーの上端部に直角水平方向となるスライド台とスライドガイド機構を設け、スライド合の前端部の下方垂直方向にハンドル装置とそのストッパー装置を設ける。これら各装置及び機構は台形ベルト又は細線ワイヤーロープ等によって連結され、曲接点部はガイドローラーによってガイドされるようにした腕の上下運動を行うための健康運動器具。
【発明の詳細な説明】
【発明の簡単な説明】
【技術分野】
【０００１】  この発明は，身体の健康維持のため両腕の上下運動が比較的容易に、老若男女を問わず行えるようにした健康運動器具に関するものである。
【背景技術】
【０００２】  従来は，そのほとんどがいわゆる筋力増強のための大型重装備の器具であり、一般の個人にては購入、使用が困難であった。
【発明が解決しようとする課題】
【０００３】  従来は、次のような欠点があった。（イ）主としてトレーニングセンター等に設置されている大型重装備の器具は、購入価格、設置場所等の観点より一般の個人にては購入する事が非常に困難である。（ロ）大型重装備の器具は、筋力増強を主目的としているため、一般の個人が単に健康維持の目的にての使用は非常に困難である。
【図面の簡単な説明】
【０００４】  以下に、本発明の構成部品の概要を示す図面について簡単に説明する。（イ）図１はベースプレート（１）の二面図を示す。（ロ）図２はメインピラー取付台（２）の二面図を示す。（ハ）図３はメインピラー（３）の二面図及び部分詳細図を示す。（ニ）図４はスライド台（４）の二面図を示す。（ホ）図５はスライドガイドブロック（５）の二面図及び部分詳細図を示す。（ヘ）図６はスライドコア（６）の三面図を示す。（ト）図７は引っ張りバネ（７）の概略図を示す。（チ）図８は台形ベルト（８）の概略図及び断面形状を示す。（リ）図９は引っ張りバネ取付ピン（９）の二面図を示す。（ヌ）図１０は台形ベルト取付リング（１０）の二面図を示す。（ル）図１１はガイドローラーＡ、Ｂ（１１）の二面図を示す。（オ）図１２はガイドローラーピンＡ、Ｂ（１２）の二面図を示す。（ワ）図１３はヒンジブロックＡ、Ｂ（１３）の三面図を示す。（カ）図１４はハンドル（１４）の二面図を示す。（ヨ）図１５はストッパー（１５）の三面図を示す。（タ）図１６はスツール（１６）の三面図を示す。（レ）図１７は補強プレートＡ（１７）の二面図を示す。（ツ）図１８は補強プレートＢ（１８）の三面図を示す。（ク）図１９は差し込みピンＡ、Ｂ（１９）の二面図を示す。（セ）図２０は接地金具（２０）の二面図を示す。（メ）図２１はかぶせナット（２１）の二面図を示す。（ラ）図２２はヒンジピンＡ、Ｂ（２２）の二面図を示す。
【発明の実施の状態】
【０００５】  図２３に全体組立使用状態の概念図を示す。
【発明の効果】
【０００６】  本発明による効果は以下に示す通りである。（イ）老若男女を問わず誰でも使用可能である。（ロ）比較的軽装備であるから購入価格、設置場所等の観点より、一般の個人にても購入が容易である。（ハ）両腕を中心とする上体の適度な運動及び健康維持に有効である。（ニ）上下ストロークは機械的に調節可能であるため、身長差に合せ対応する事ができ猶且つ安全である。（ホ）主要構成部品はボルト締めとヒンジ構造により構成されているため折畳み収納可能であり、又搬送時の便宜上からも有利である。
【符号の説明】
１  ベースプレート                          ２  メインピラー取付台  ３  メインピラー                            ４  スライド台  ５  スライドガイドブロック                  ６  スライドコア  ７  引っ張りバネ                            ８  台形ベルト  ９  引っ張りバネ取付ピン                  １０  台形ベルト取付リング１１  ガイドローラーＡ、Ｂ                  １２  ガイドローラーピンＡ、Ｂ１３  ヒンジブロックＡ、Ｂ                  １４  ハンドル１５  ストッパー                            １６  スツール１７  補強プレートＡ                        １８  補強プレートＢ１９  差し込みピンＡ、Ｂ                    ２０  接地金具２１  かぶせナット                          ２２  ヒンジピンＡ、Ｂ２３  全体組立使用状態概念図
【図１】
2006289025.tif 000003
【図２】
2006289025.tif 000004
【図３】
2006289025.tif 000005
2006289025.tif 000006
【図４】
2006289025.tif 000007
【図５】
2006289025.tif 000008
【図６】
2006289025.tif 000009
【図７】
2006289025.tif 000010
【図８】
2006289025.tif 000011
【図９】
2006289025.tif 000012
【図１０】
2006289025.tif 000013
【図１１】
2006289025.tif 000014
【図１２】
2006289025.tif 000015
【図１３】
2006289025.tif 000016
【図１４】
2006289025.tif 000017
【図１５】
2006289025.tif 000018
【図１６】
2006289025.tif 000019
【図１７】
2006289025.tif 000020
【図１８】
2006289025.tif 000021
【図１９】
2006289025.tif 000022
【図２０】
2006289025.tif 000023
【図２１】
2006289025.tif 000024
【図２２】
2006289025.tif 000025
【図２３】
2006289025.tif 000026
【手続補正書】
【提出日】平成17年7月18日(2005.7.18)
【手続補正１】
【補正対象書類名】明細書
【補正対象項目名】０００４
【補正方法】変更
【補正の内容】
【０００４】
【図１】ベースプレート（１）の二面図を示す。
【図２】メインピラー取付台（２）の二面図を示す。
【図３】メインピラー（３）の二面図を示す。
【図４】メインピラー（３）の部分詳細図ａ，ｂ，ｃを示す。
【図５】スライド台（４）の二面図を示す。
【図６】スライドガイドブロック（５）の二面図及び部分詳細図を示す。
【図７】スライドコア（６）の三面図を示す。
【図８】引っ張りバネ（７）の概略図を示す。
【図９】台形ベルト（８）の概略図及び断面形状を示す。
【図１０】引っ張りバネ取付ピン（９）の二面図を示す。
【図１１】台形ベルト取付リング（１０）の二面図を示す。
【図１２】ガイドローラーＡ，Ｂ（１１）の二面図を示す。
【図１３】ガイドローラーピンＡ，Ｂ（１２）の二面図を示す。
【図１４】ヒンジブロックＡ，Ｂ（１３）の三面図を示す。
【図１５】ハンドル（１４）の二面図を示す。
【図１６】ストッパー（１５）の三面図を示す。
【図１７】スツール（１６）の三面図を示す。
【図１８】補強プレートＡ（１７）の二面図を示す。
【図１９】補強プレートＢ（１８）の三面図を示す。
【図２０】差し込みピンＡ，Ｂ（１９）の二面図を示す。
【図２１】接地金具（２０）の二面図を示す。
【図２２】かぶせナット（２１）の二面図を示す。
【図２３】ヒンジピンＡ，Ｂ（２２）の二面図を示す。
【図２４】全体組立使用状態概念図（２３）を示す。
【手続補正２】
【補正対象書類名】明細書
【補正対象項目名】０００５
【補正方法】変更
【補正の内容】
【０００５】図２４  に発明の実施の状態として、全体組立使用状態概念図（２３）を示す。
【手続補正３】
【補正対象書類名】図面
【補正対象項目名】全図
【補正方法】変更
【補正の内容】
【図１】
2006289025.tif 000027
【図２】
2006289025.tif 000028
【図３】
2006289025.tif 000029
【図４】
2006289025.tif 000030
【図５】
2006289025.tif 000031
【図６】
2006289025.tif 000032
【図７】
2006289025.tif 000033
【図８】
2006289025.tif 000034
【図９】
2006289025.tif 000035
【図１０】
2006289025.tif 000036
【図１１】
2006289025.tif 000037
【図１２】
2006289025.tif 000038
【図１３】
2006289025.tif 000039
【図１４】
2006289025.tif 000040
【図１５】
2006289025.tif 000041
【図１６】
2006289025.tif 000042
【図１７】
2006289025.tif 000043
【図１８】
2006289025.tif 000044
【図１９】
2006289025.tif 000045
【図２０】
2006289025.tif 000046
【図２１】
2006289025.tif 000047
【図２２】
2006289025.tif 000048
【図２３】
2006289025.tif 000049
【図２４】
2006289025.tif 000050